(57)【要約】【課題】既成の子守帯に、ずれたり落下したりすることなく簡単に着脱することができ、さらに、乳幼児の涎掛けとしても使用することができる涎防止カバーを提供する。【解決手段】上下方向の中心線（基準線）Ｃ１から左側に広がる左部１Ａと右側に広がる右部１Ｂとを有する布状のカバー本体１と、相互に係脱自在な凸側２ａと凹側２ｂとを、左部１Ａと右部１Ｂとのそれぞれに有し、凸側２ａと凹側２ｂとの係合により、左部１Ａと右部１Ｂとをそれぞれ左右の肩ベルトに取り付ける左右のスナップボタン２と、相互に係脱自在なボタン３ａとボタン穴３ｂとのうちの一方を左部１Ａに、他方を右部１Ｂに有し、ボタン３ａとボタン穴３ｂとの係合により、カバー本体１を乳幼児に取り付けるボタン＆ボタン穴３とを備える。【選択図】図１
2018162533.tif 000002
【特許請求の範囲】
【請求項１】
左右の肩ベルトを有する子守帯に装着されて、使用者に対する乳幼児の涎の付着を防止し、また、前記乳幼児に装着されて、前記乳幼児自身に対する涎の付着を防止する涎防止カバーにおいて、
上下方向の基準線から左側に広がる左部と右側に広がる右部とを有する布状のカバー本体と、
相互に係脱自在な第１凸部と第１凹部とを、前記左部と前記右部とのそれぞれに有し、前記第１凸部と前記第１凹部との係合により、前記左部と前記右部とをそれぞれ左右の前記肩ベルトに取り付ける左右の第１取付具と、
相互に係脱自在な第２凸部と第２凹部とのうちの一方を前記左部に、他方を前記右部に有し、前記第２凸部と前記第２凹部との係合により、前記カバー本体を前記乳幼児に取り付ける第２取付具と、を備える、
ことを特徴とする涎防止カバー。
【請求項２】
前記第１取付具は、前記第１凸部と前記第１凹部のうちの一方が前記カバー本体の上部における端部近傍に配設され、他方が一方と前記基準線との間に配設され、
前記カバー本体は、前記第１凸部と前記第１凹部との間に位置する部位が前記肩ベルトに巻き付けられて前記第１凸部と前記第１凹部とが係合されることで、前記子守帯に装着される、
ことを特徴とする請求項１に記載の涎防止カバー。
【請求項３】
前記第１凸部がスナップボタンの凸側であり、前記第１凹部がスナップボタンの凹側であり、
前記凸側と前記凹側とのうちの一方が前記カバー本体の表面側に、他方が裏面側に配設されている、
ことを特徴とする請求項１又は２に記載の涎防止カバー。
【請求項４】
前記第２取付具は、前記第２凸部と前記第２凹部が前記カバー本体の上部に配設され、
前記カバー本体は、前記第２凸部と前記第２凹部との間に位置する部位が前記乳幼児の首に巻かれて前記第２凸部と前記第２凹部とが係合されることで、前記乳幼児に装着される、
ことを特徴とする請求項１ないし３のいずれか１項に記載の涎防止カバー。
【請求項５】
前記第２凸部がボタンであり、前記第２凹部がボタン穴であり、
前記カバー本体は、前記上部に、左右方向に延びる折り線を有し、
前記ボタンは、前記折り線の下側に配設されるとともに、前記ボタン穴は、前記折り線を基準として線対称な２箇所に設けられ、
前記カバー本体は、前記折り線よりも上側に位置する折返し部を折り返して、前記ボタンと前記ボタン穴との間に位置する部位を前記乳幼児の首に巻き付けた後、前記ボタンを２個の前記ボタン穴に係合させることにより、前記乳幼児に装着される、
ことを特徴とする請求項１ないし４のいずれか１項に記載の涎防止カバー。
【発明の詳細な説明】
【技術分野】
【０００１】
本発明は、子守帯に装着されて、使用者に対する乳幼児の涎の付着を防止し、また、乳幼児に装着されて、乳幼児自身に対する涎の付着を防止する涎防止カバーに関する。
【背景技術】
【０００２】
特許文献１には、タオルハンカチとして、また、涎掛けとしても使用できる布状部材が開示されている。
【０００３】
この布状部材は、正方形状に形成されていて、１本の対角線の両端にスナップボタンが配設されている。布状部材は、開いた態様（状態）では、タオルハンカチとして使用することができる。
【０００４】
一方、対角線で２つ折りにして三角形状にして乳幼児の首に巻き、対角線の両端のスナップボタンに、連結リボンの両端のスナップボタンを係合させることにより、涎掛けとして使用することができる。
【０００５】
ところで、抱っこ紐等の子守帯を使用して、乳幼児を対面抱きした際、乳幼児の涎によって使用者の服が濡れたり、汚れたりするおそれがある。また、使用者が合成繊維やニット等の毛足の長い素材の服を着用している場合には、乳幼児の顔が擦れて敏感な肌を傷付けたりするおそれがある。
【０００６】
このような使用者の服の汚れや乳幼児の肌の損傷を防止するために、一般に、ハンドタオルやガーゼを乳幼児の顔と使用者の胸との間に挟んで抱っこ紐を着用することが多い。
また、子守帯を使用して、乳幼児を前向き抱きした際には、涎によって子守帯の一部が濡れたり汚れたりするおそれがある。
この対処として、子守帯における乳幼児の口の近傍にタオルハンカチやガーゼを引っかけることがある。
なお、上述の特許文献１に記載された布状の部材は、このような場面で、ハンドタオルやガーゼの代わりに使用することが可能である。
【先行技術文献】
【特許文献】
【０００７】
【特許文献１】特開２０１１−２３１４４２号公報
【発明の概要】
【発明が解決しようとする課題】
【０００８】
しかしながら、上述のように、タオルハンカチやガーゼを乳幼児と使用者の間に挟み込んだり、子守帯に引っ掛けたりする態様では、タオルハンカチやガーゼがすぐにずれたり、落下したりするという問題があった。
【０００９】
本発明は、上述した事情に鑑みてなされたものであり、既成の子守帯に、ずれたり落下したりすることなく簡単に着脱することができ、さらに、乳幼児の涎掛けとしても使用することができる涎防止カバーを提供するものである。
【課題を解決するための手段】
【００１０】
請求項１に係る発明は、左右の肩ベルトを有する子守帯に装着されて、使用者に対する乳幼児の涎の付着を防止し、また、前記乳幼児に装着されて、前記乳幼児自身に対する涎の付着を防止する涎防止カバーにおいて、上下方向の基準線から左側に広がる左部と右側に広がる右部とを有する布状のカバー本体と、相互に係脱自在な第１凸部と第１凹部とを、前記左部と前記右部とのそれぞれに有し、前記第１凸部と前記第１凹部との係合により、前記左部と前記右部とをそれぞれ左右の前記肩ベルトに取り付ける左右の第１取付具と、相互に係脱自在な第２凸部と第２凹部とのうちの一方を前記左部に、他方を前記右部に有し、前記第２凸部と前記第２凹部との係合により、前記カバー本体を前記乳幼児に取り付ける第２取付具と、を備える、ことを特徴とする。
【００１１】
請求項２に係る発明は、請求項１に係る涎防止カバーにおいて、前記第１取付具は、前記第１凸部と前記第１凹部のうちの一方が前記カバー本体の上部における端部近傍に配設され、他方が一方と前記基準線との間に配設され、前記カバー本体は、前記第１凸部と前記第１凹部との間に位置する部位が前記肩ベルトに巻き付けられて前記第１凸部と前記第１凹部とが係合されることで、前記子守帯に装着される、ことを特徴とする。
【００１２】
請求項３に係る発明は、請求項１又は２に係る涎防止カバーにおいて、前記第１凸部がスナップボタンの凸側であり、前記第１凹部がスナップボタンの凹側であり、前記凸側と前記凹側とのうちの一方が前記カバー本体の表面側に、他方が裏面側に配設されている、ことを特徴とする。
【００１３】
請求項４に係る発明は、請求項１ないし３のいずれか１項に係る涎防止カバーにおいて、前記第２取付具は、前記第２凸部と前記第２凹部が前記カバー本体の上部に配設され、前記カバー本体は、前記第２凸部と前記第２凹部との間に位置する部位が前記乳幼児の首に巻かれて前記第２凸部と前記第２凹部とが係合されることで、前記乳幼児に装着される、ことを特徴とする。
【００１４】
請求項５に係る発明は、請求項１ないし４のいずれか１項に係る涎防止カバーにおいて、前記第２凸部がボタンであり、前記第２凹部がボタン穴であり、前記カバー本体は、前記上部に、左右方向に延びる折り線を有し、前記ボタンは、前記折り線の下側に配設されるとともに、前記ボタン穴は、前記折り線を基準として線対称な２箇所に設けられ、前記カバー本体は、前記折り線よりも上側に位置する折返し部を折り返して、前記ボタンと前記ボタン穴との間に位置する部位を前記乳幼児の首に巻き付けた後、前記ボタンを２個の前記ボタン穴に係合させることにより、前記乳幼児に装着される、ことを特徴とする。
【発明の効果】
【００１５】
請求項１の発明によれば、涎防止カバーは、左右の第１取付具の第１凸部と第１凹部とを係脱することにより、子守帯の左右の肩ベルトに対し、簡単に係脱することができる。そして、装着時には、不要なずれや落下を防止して、乳幼児の涎が使用者に付着することを確実に防止することができる。
【００１６】
一方、涎防止カバーは、第２取付具の第２凸部と第２凹部とを係脱することにより、乳幼児に対して、簡単に係脱することができる。そして、装着後には、乳幼児の涎が乳幼児自身に付着することを防止する。
【００１７】
しかも、第１取付具と第２取付具とのいずれもが、涎防止カバーのカバー本体に配設されているので、涎防止カバーの装着先となる子守帯及び乳幼児側には、装着のための取付具は不要であり、このため高い汎用性を発揮することができる。
【００１８】
請求項２の発明によれば、涎防止カバーは、カバー本体の上部における第１凸部と第１凹部との間に位置する部位を肩ベルトに巻き付けて、これら第１凸部と第１凹部とを係合させることで、子守帯に装着することができる。
【００１９】
請求項３の発明によれば、スナップボタンの凸側と凹側とは、一方がカバー本体の表面側、他方が裏面側に配設されているので、これら凸側と凹側とは、係合させた場合に、カバー本体のうちの肩ベルトに巻き付けられた部位の内側に位置して、外側には露出されることがない。このため乳幼児が凸側や凹側に直接触れたり、かじったりするおそれがない。
【００２０】
請求項４の発明によれば、涎防止カバーは、カバー本体の上部における第２凸部と第２凹部との間に位置する部位を乳幼児の首に巻き付けて、これら第２凸部と第２凹部とを係合させることで、乳幼児に装着することができる。
【００２１】
請求項５の発明によれば、乳幼児の首には、カバー本体の端縁ではなく、折り線近傍がソフトに接触する。また、ボタン穴が二重となるので、係合後のボタンを外れにくくすることができる。
【図面の簡単な説明】
【００２２】
【図１】図１〜図３は実施形態１の涎防止カバー１０を説明する図であり、このうち図１（Ａ）は涎防止カバー１０の正面図、図１（Ｂ）は涎防止カバー１０の背面図である。
【図２】（Ａ）は涎防止カバー１０を、抱っこ紐（子守帯）５０で乳幼児を対面抱きする際に、涎カバーＨ１として使用する態様を示す斜視図であり、（Ｂ）は涎カバーＨ１を抱っこ紐５０に装着した状態を示す斜視図である。
【図３】（Ａ）は折返し部１ｅを前側に折り返した状態の涎防止カバー１０の正面図、（Ｂ）は涎防止カバー１０の、涎掛けＨ２としての態様を示す斜視図である。
【図４】図４〜図６は実施形態２の涎防止カバー１０Ａを説明する図であり、このうち図４（Ａ）は涎防止カバー１０Ａの正面図、図４（Ｂ）は涎防止カバー１０Ａの背面図である。
【図５】涎防止カバー１０Ａを、抱っこ紐５０で乳幼児を前向き抱きする際に、涎カバーＨ３として使用する態様を示す斜視図である。
【図６】（Ａ）は折返し部１ｅを前側に折り返した状態の涎防止カバー１０Ａの正面図、（Ｂ）は涎防止カバー１０Ａの、涎掛けＨ２としての態様を示す斜視図である。
【発明を実施するための形態】
【００２３】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
図１〜図３を参照して、本発明を適用した実施形態１に係る涎防止カバー１０について説明する。
【００２４】
このうち、図１（Ａ）は、涎防止カバー１０の正面図、図１（Ｂ）は、涎防止カバー１０の背面図である。また、図２（Ａ）は、涎防止カバー１０を、抱っこ紐（子守帯）５０で乳幼児を対面抱きする際に、涎カバーＨ１として使用する態様を示す斜視図であり、図２（Ｂ）は、涎カバーＨ１を抱っこ紐５０に装着した状態を示す斜視図である。また、図３（Ａ）は、折返し部１ｅを前側に折り返した状態の涎防止カバー１０の正面図、図３（Ｂ）は、涎防止カバー１０の、涎掛けＨ２としての態様を示す斜視図である。
【００２５】
涎防止カバー１０は、図２（Ｂ）に示すように、抱っこ紐（子守帯）５０に装着される態様では、涎カバーＨ１として使用される。一方、図３（Ｂ）に示すように、乳幼児（不図示）に装着される態様では、涎掛けＨ２として使用される。
【００２６】
涎カバーＨ１は、抱っこ紐５０の使用者（不図示）と、この抱っこ紐５０によって対面抱きされた乳幼児（不図示）との間を仕切るように配設される。これにより、乳幼児の涎が使用者の衣服等に付着するのを防止する。一方、涎掛けＨ２は、一般的な涎掛けと同様、乳幼児の首に巻かれて、乳幼児の涎が乳幼児自身の衣服等に付着するのを防止するものである。
【００２７】
涎防止カバー１０は、図１に示すように、上下方向の中心線（基準線）Ｃ１を基準として左右に広がる布状のカバー本体１と、左右の第１取付具２，２と、第２取付具３とを備えている。
【００２８】
なお、以下では、カバー本体１が二等辺三角形状に形成され、また、第１取付具２がスナップボタンであり、さらに、第２取付具３がボタン＆ボタン穴である場合を例に説明するが、本発明は、これらに限定されるものではない。
【００２９】
例えば、カバー本体１の形状は、長方形状、半円形状、半楕円形状等の形状としてもよく、第１取付具２は、面ファスナーやボタン＆ボタン穴としてもよく、第２取付具３は、スナップボタンや面ファスナーとしてもよい。
【００３０】
カバー本体１は、頂点１ｔを下向きにした二等辺三角形状の布状に形成されている。カバー本体１は、頂点１ｔを通る中心線（基準線）Ｃ１を基準として左側に広がる左部１Ａと右側に広がる右部１Ｂとを有している。カバー本体１の表裏については、表面１ａ側と裏面１ｂ側とを区別する。また、図１（Ａ）に示す表面１ａにおける左側の端部を左端部１Ｌ、右側の端部を右端部１Ｒとする。左端部１Ｌの角度と右端部１Ｒの角度とは同じになっている。つまり、カバー本体１の左側と右側とは、中心線Ｃ１を基準として線対称となっている。
【００３１】
カバー本体１における上端縁１ｃの下側には、左右方向に延びる直線状のステッチ１ｄが施されている。このステッチ１ｄは、折り線Ｃ２と一致している。カバー本体１のうちの、ステッチ１ｄよりも上側に位置する部分は、左右方向に長い帯状の折返し部１ｅとなっている。後述するように、涎防止カバー１０を乳幼児の涎掛けＨ２として使用する場合には、図３（Ａ）に示すように、折返し部１ｅをこのステッチ１ｄを折り線Ｃ２として、表面１ａ側に折り返すことになる。
左右一対のスナップボタン２は、左部１Ａと右部１Ｂとのそれぞれに、中心線Ｃ１を基準として線対称な位置に配設されている。
【００３２】
左のスナップボタン２は、左部１Ａにおける上部に配設されて、相互に係脱自在な凸側２ａと凹側２ｂとによって構成されている。凸側２ａは、左端部１Ｌにおける裏面１ｂ側に配設され、また、凹側２ｂは、表面１ａ側に配設されていて、凸側２ａと同じ高さで、左右方向の位置については、凸側２ａと中心線Ｃ１との間に配設されている。
【００３３】
ここで、カバー本体１のうちの、左のスナップボタン２の凸側２ａと凹側２ｂとの間（二点鎖線Ｓ１，Ｓ２間）の領域を左の巻き付け部Ｍ１とする。この巻き付け部Ｍ１は、図２（Ａ），（Ｂ）を参照して後述するように、カバー本体１の左端部１Ｌ側を抱っこ紐５０の左の肩ベルト５２に取り付ける際、ループを形成して、左の肩ベルト５２に巻き付けられる。
右のスナップボタン２につては、上述の左のスナップボタン２と同様である。
【００３４】
すなわち、右のスナップボタン２は、右部１Ｂにおける上部に配設されて、相互に係脱自在な凸側２ａと凹側２ｂとによって構成されている。凸側２ａは、右端部１Ｒにおける裏面１ｂ側に配設され、また、凹側２ｂは、表面１ａ側に配設されていて、凸側２ａと同じ高さで、左右方向の位置については、凸側２ａと中心線Ｃ１との間に配設されている。
【００３５】
ここで、カバー本体１のうちの、右のスナップボタン２の凸側２ａと凹側２ｂとの間（二点鎖線Ｓ３，Ｓ４間）の領域を右の巻き付け部Ｍ１とする。この巻き付け部Ｍ１は、図２（Ａ），（Ｂ）を参照して後述するように、カバー本体１の右端部１Ｒ側を抱っこ紐５０の右の肩ベルト５２に取り付ける際、ループを形成して、右の肩ベルト５２に巻き付けられる。
次に、ボタン＆ボタン穴（第２取付具）３は、相互に係脱自在なボタン３ａと２個のボタン穴３ｂとによって構成されている。
ボタン３ａは、カバー本体１のステッチ１ｄの下側の右端近傍における裏面１ｂ側に配設されている。
【００３６】
２個のボタン穴３ｂは、それぞれカバー本体１を表裏方向に貫通するスリット状に形成されている。２個のボタン穴３ｂは、折り線Ｃ２を基準として、線対称の位置に形成されている。このうち、下のボタン穴３ｂは、中心線Ｃ１を基準として、ボタン３ａと線対称の位置に形成されている。これら２個のボタン穴３ｂは、折返し部１ｅを、折り線Ｃ２で折り返した際に、重なって二重となる。
【００３７】
ここで、カバー本体１のうちの、ボタン３ａとボタン穴３ｂとの間（二点鎖線Ｓ５，Ｓ６間）の領域を巻き付け部Ｍ２とする。この巻き付け部Ｍ２は、後述するように、カバー本体１を乳幼児の首に取り付ける際、ループを形成して、乳幼児の首に巻き付けられる。
つづいて、図２（Ａ）、（Ｂ）を参照して、涎防止カバー１０を抱っこ紐５０に装着して、涎カバーＨ１として使用する例を説明する。
【００３８】
涎防止カバー１０の装着先となる抱っこ紐５０は、背当て５１、左右の肩ベルト５２、及び腰ベルト５３を備えている。このうち、背当て５１は、乳幼児の尻から背中に架けて支持するものである。また、左右の肩ベルト５２は、端部５２ａが背当て５１に連結されていて、乳幼児を抱っこする際に、使用者が左右の肩に掛けるベルトである。また、腰ベルト５３は、背当て５１の下端に連結されていて、使用者の腰に巻き付けるベルトである。
この抱っこ紐５０に対し、以下のようにして、涎防止カバー１０を装着する。
開いた状態の涎防止カバー１０を、その表面１ａが抱っこ紐５０の背当て５１の内面（外面５１ａの反対の面）に対向するように配置する。
【００３９】
カバー本体１の表面１ａ側の左の巻き付け部Ｍ１を、左の肩ベルト５２の端部５２ａの内面に当て、巻き付け部Ｍ１の左端部１Ｌ側を肩ベルト５２の端部５２ａの外面側に回し、さらに、スナップボタン２の凸側２ａを内面側に回して、凹側２ｂに係合させる。これにより、左の巻き付け部Ｍ１を左の肩ベルト５２に取り付けることができる。なお、この状態では、図２（Ａ）に示すように、スナップボタン２の凸側２ａ及び凹側２ｂのいずれもが、ループ状の巻き付け部Ｍ１の内面側に位置して外部に露出することはない。このため、乳幼児がスナップボタン２を弄ったり齧ったりするおそれはない。また、乳幼児の顔の敏感な肌に、スナップボタン２が触れたりするおそれもない。
同様にして、右の巻き付け部Ｍ１を右の肩ベルト５２に取り付ける。
以上により、涎防止カバー１０を、抱っこ紐５０に簡単に装着して、涎カバーＨ１の態様とすることができる。なお、逆の手順となる取外しも容易である。
【００４０】
乳幼児は、抱っこ紐５０の背当て５１と涎カバーＨ１との間に入れることになる。これにより、乳幼児の口元と、使用者の胸元との間には、涎カバーＨ１が存在することになる。したがって、この涎防止カバー１０の涎カバーＨ１としての態様では、乳幼児の涎が使用者の衣類等を濡らしたり汚したりすることを防止あるいは抑制することができる。
次に、図３（Ａ），（Ｂ）を参照して、涎防止カバー１０を乳幼児に装着して、涎掛けＨ２として使用する例を説明する。
図３（Ａ）に示すように、カバー本体１の折返し部１ｅを、折り線Ｃ２で表面１ａ側に折り返す。これにより、２個のボタン穴３ｂが重なって二重となる。
【００４１】
この状態を維持し、表面１ａ側が乳幼児の胸側に当たるようにして、巻き付け部Ｍ２を乳幼児の首に巻き付けて、ボタン３ａをボタン穴３ｂに通す（係合する）。
以上により、涎防止カバー１０を、乳幼児に簡単に装着して、涎掛けＨ２の態様とすることができる。なお、逆の手順となる取外しも容易である。
涎掛けＨ２は、一般的な涎掛けと同様、乳幼児の涎によって、乳幼児自身の衣服が濡れたり汚れたりすることを防止あるいは抑制することができる。
以下に、本実施形態１の涎防止カバー１０の効果を整理する。
【００４２】
・涎防止カバー１０は、左右のスナップボタン（第１取付具）２の凸側（第１凸部）２ａと凹側（第１凹部）２ｂとを係脱することにより、抱っこ紐（子守帯）５０の左右の肩ベルト５２に対し、簡単に係脱することができる。そして、装着時には、不要なずれや落下を防止して、乳幼児の涎が使用者に付着することを確実に防止することができる。
【００４３】
一方、涎防止カバー１０は、ボタン＆ボタン穴（第２取付具）３のボタン（第２凸部）３ａとボタン穴（第２凹部）３ｂとを係脱することにより、乳幼児に対して、簡単に係脱することができる。そして、装着後には、乳幼児の涎が乳幼児自身に付着することを防止する。
【００４４】
しかも、スナップボタン（第１取付具）２とボタン＆ボタン穴（第２取付具）３とのいずれもが、涎防止カバー１０のカバー本体１に配設されているので、涎防止カバー１０の装着先となる抱っこ紐（子守帯）５０及び乳幼児側には、装着のための取付具は不要であり、このため高い汎用性を発揮することができる。
【００４５】
・涎防止カバー１０は、カバー本体１の上部における凸側（第１凸部）２ａと凹側（第１凹部）２ｂとの間に位置する巻き付け部（部位）Ｍ１を肩ベルト５２に巻き付けて、これら凸側（第１凸部）２ａと凹側（第１凹部）２ａとを係合させることで、抱っこ紐（子守帯）５０に装着することができる。
【００４６】
・スナップボタン２の凸側２ａと凹側２ｂとは、一方がカバー本体１の表面１ａ側、他方が裏面１ｂ側に配設されているので、これら凸側２ａと凹側２ｂとは、係合させた場合に、カバー本体１のうちの肩ベルト５２に巻き付けられた巻き付け部（部位）Ｍ１の内側に位置して、外側には露出されることがない。このため乳幼児が凸側２ａや凹側２ｂに直接触れたり、かじったりするおそれがない。
【００４７】
・涎防止カバー１０は、カバー本体１の上部におけるボタン（第２凸部）３ａとボタン穴（第２凹部）３ｂとの間に位置する巻き付け部（部位）Ｍ２を乳幼児の首に巻き付けて、これらボタン（第２凸部）３ａとボタン穴（第２凹部）３ｂとを係合させることで、乳幼児に装着することができる。
【００４８】
・涎防止カバー１０は、折返し部１ｅを折り線Ｃ２で折り返して乳幼児の首に巻き付けるので、乳幼児の首には、カバー本体１の端縁ではなく、折り線Ｃ２近傍がソフトに接触する。また、ボタン穴３ｂが二重となるので、係合後のボタン３ａを外れにくくすることができる。
＜実施形態２＞
図４〜図６を参照して、本発明を適用した実施形態２に係る涎防止カバー１０Ａについて説明する。
【００４９】
このうち、図４（Ａ）は、涎防止カバー１０Ａの正面図、図４（Ｂ）は、涎防止カバー１０Ａの背面図である。また、図５は、涎防止カバー１０Ａを、抱っこ紐５０で乳幼児を前向き抱きする際に、涎カバーＨ３として使用する態様を示す斜視図である。また、図６（Ａ）は折返し部１ｅを前側に折り返した状態の涎防止カバー１０Ａの正面図、図６（Ｂ）は、涎防止カバー１０Ａの、涎掛けＨ２としての態様を示す斜視図である。
【００５０】
本実施形態２の涎防止カバー１０Ａは、上述の実施形態１の涎防止カバー１０に対し、カバー本体１に垂れ部Ｔを付加した点が相違する。他の点は、ほぼ同様なので、同じ符号を付して説明は省略する。
【００５１】
図４（Ａ），（Ｂ）に示すように、垂れ部Ｔは、頂点Ｔ１が下向きの二等辺三角形状の布状部材によって形成されている。垂れ部Ｔは、その上端縁Ｔ２がカバー本体１の上端縁１ｃに連結されている。すなわち、垂れ部Ｔは、カバー本体１と一体的に形成されるとともに、裏面１ｂ側に垂れ下がっている。
この涎防止カバー１０Ａは、図５に示すように抱っこ紐５０に装着することにより、図２に示す涎カバーＨ２とは異なる態様の涎カバーＨ３を構成する。
【００５２】
すなわち、まず、カバー本体１の表面１ａ側が外側を向くようにして、カバー本体１と垂れ部Ｔとを軽く開き、カバー本体１の上端縁１ｃを背当て５１の上端部に載せる。これにより、涎防止カバー１０が背当て５１の上端部に跨って、カバー本体１が背当て５１の外面５１ａ側に垂れ、垂れ部Ｔが背当て５１の内面側に垂れる。
【００５３】
この状態を維持したまま、カバー本体１の左の巻き付け部Ｍ１を、左の肩ベルト５２の端部５２ａの外面から内面に巻き付け、スナップボタン２の凸側２ａを凹側２ｂに係合させる。右の巻き付け部Ｍ１についても同様にする。
【００５４】
このようにして、抱っこ紐５０の背当て５１に装着された涎防止カバー１０Ａは、カバー本体１が背当て５１の外面５１ａを、また、垂れ部Ｔが背当て５１の内面を覆うことになる。
これにより、抱っこ紐５０によって前向き抱きされた乳幼児の涎による、背当て５１の汚れを防止することができる。
なお、この涎カバーＨ３は、図２（Ｂ）に示す涎カバーＨ２とは、抱っこ紐５０に対する装着位置（態様）が異なり、また、効果も異なる。
次に、図６（Ａ），（Ｂ）を参照して、涎防止カバー１０Ａを乳幼児に装着して、涎掛けＨ２として使用する例を説明する。
乳幼児に対する涎防止カバー１０Ａの装着方法は、図３（Ａ），（Ｂ）に示す涎防止カバー１０の装着方法と同様である。
【００５５】
すなわち、図６（Ａ）に示すように、カバー本体１の折返し部１ｅを、折り線Ｃ２で表面１ａ側に折り返す。これにより、２個のボタン穴３ｂが重なって二重となる。
【００５６】
この状態を維持し、表面１ａ側が乳幼児の胸側に当たるようにして、巻き付け部Ｍ２を乳幼児の首に巻き付けて、ボタン３ａをボタン穴３ｂに通す（係合する）。
以上により、涎防止カバー１０Ａを、乳幼児に簡単に装着して、涎掛けＨ２の態様とすることができる。なお、逆の手順となる取外しも容易である。
涎掛けＨ２は、一般的な涎掛けと同様、乳幼児の涎によって、乳幼児の衣服が濡れたり汚れたりすることを防止あるいは抑制することができる。
【００５７】
なお、本実施形態２の涎防止カバー１０Ａは、実施形態１の涎防止カバー１０と同様に抱っこ紐５０の肩ベルト５２に取り付けて、涎カバーＨ１の態様として使用することも可能である。
本実施形態２の涎防止カバー１０Ａは、実施形態１の涎防止カバー１０が奏する効果に加え、以下のような効果を奏することができる。
【００５８】
・涎防止カバー１０Ａは、垂れ部Ｔを設けることにより、抱っこ紐５０によって乳幼児を前向き抱きした際に、背当て５１に涎カバーＨ３の態様として装着して、涎による背当て５１の濡れや汚れを防止することができる。
【００５９】
・涎防止カバー１０Ａは、乳幼児に装着して涎掛けＨ２の態様としたときに、垂れ部Ｔがカバー本体１の下面側に重なって、この部分が二重となるので、その分、多くの涎を吸収することができる。
【符号の説明】
【００６０】
１      カバー本体
１Ａ    左部
１ａ    表面
１Ｂ    右部
１ｂ    裏面
１ｄ    ステッチ
１ｅ    折返し部
１Ｌ    左端部
１Ｒ    右端部
１ｔ    頂点
２      スナップボタン（第１取付具）
２ａ    凸側
２ｂ    凹側
３      ボタン＆ボタン穴（第２取付具）
３ａ    ボタン
３ｂ    ボタン穴
１０    実施形態１の涎防止カバー
１０Ａ  実施形態２の涎防止カバー
５０    抱っこ紐（子守帯）
５１    背当て
５２    肩ベルト
Ｃ１    中心線（基準線）
Ｃ２    折り線
Ｈ１    涎カバー
Ｈ２    涎掛け
Ｈ３    涎カバー
Ｍ１    巻き付け部
Ｍ２    巻き付け部
Ｔ      垂れ部
【図１】
2018162533.tif 000003
【図２】
2018162533.tif 000004
【図３】
2018162533.tif 000005
【図４】
2018162533.tif 000006
【図５】
2018162533.tif 000007
【図６】
2018162533.tif 000008